(57)【要約】【課題】蓄積型の再放送において、元の放送と同じ方法で選局・予約できるようにする放送再送信装置、放送受信装置および放送再送信システムを提供する。【解決手段】放送再送信装置１０８では、再送信時に再送信前の元の番組編成情報で使用されている番組識別情報を付加して再送信する。放送受信装置１０７では、この放送再送信装置１０８で送信した再送信前の元の番組識別情報を用いて元の番組編成に基づく番組表を生成し、この番組表に基づいて番組の選局や予約を行う。また、放送再送信システムは、これらの放送再送信装置１０８と複数の放送受信装置１０７とから構成される。【選択図】        図１
2004260549.tif 000002
【特許請求の範囲】
【請求項１】
放送の番組編成を変更して再送信を行う放送再送信装置であって、再送信時に再送信前の元の番組編成情報で使用されている番組識別情報を付加して再送信する放送再送信装置。
【請求項２】
再送信時に再送信前の元の番組編成情報で使用されている番組識別情報を付加して再送信された放送を受信したとき、付加された元の番組識別情報で番組を選局する選局手段を備えることを特徴とする放送受信装置。
【請求項３】
請求項２記載の放送受信装置において、付加された元の番組識別情報を使用して、元の番組編成に基づく番組表を生成する元番組表生成手段を備えることを特徴とする放送受信装置。
【請求項４】
請求項２または３記載の放送受信装置において、付加された元の番組識別情報を使用して、番組の視聴もしくは録画を元の番組編成に基づいて予約する予約手段を備えることを特徴とする放送受信装置。
【請求項５】
請求項１に記載の放送再送信装置と請求項２乃至４のいずれか記載の放送受信装置によって構成される放送再送信システム。
【発明の詳細な説明】
【０００１】
【発明の属する技術分野】
本発明は、放送再送信装置、放送受信装置および放送再送信システムに関し、具体的には、衛星や地上波等によるデジタル放送を受信して蓄積し、その蓄積した放送を再送信したときの選局や予約に関する。
【０００２】
【従来の技術】
ＢＳ（Ｂｒｏａｄｃａｓｔｉｎｇ  Ｓａｔｅｌｌｉｔｅ）デジタル放送やＣＳ（Ｃｏｍｍｕｎｉｃａｔｉｏｎ  Ｓａｔｅｌｌｉｔｅ）デジタル放送などのデジタル放送（データ放送）を一旦受信し、ケーブルテレビに再送信する方式として、非特許文献１の「１−４  ＣＳ再送信」に再多重ＳＩ変換という方式がある。この方式は番組編成を変更し、これに合わせてＰＳＩ／ＳＩ（Ｐｒｏｇｒａｍ  Ｓｐｅｃｉｆｉｃ  Ｉｎｆｏｒｍａｔｉｏｎ  ／Ｓｅｒｖｉｃｅ  Ｉｎｆｏｒｍａｔｉｏｎ）と呼ばれる番組編成などの情報を再送信装置で変更して再送信する方式で、リマックス方式と呼ばれている（特許文献１、特許文献２参照）。
【０００３】
【特許文献１】
特開２０００−３５０１８０号公報
【特許文献２】
特開２００２−３２０２１３号公報
【非特許文献１】
（社）日本ＣＡＴＶ技術協会・（社）電子機械工業会編纂、「こんなにあるＣＡＴＶシステム  デジタルＣＡＴＶ導入のための解説書」、（社）日本ＣＡＴＶ技術協会・（社）電子機械工業会、１９９９年５月２０日、９頁「１−４  ＣＳ再送信」
【０００４】
【発明が解決しようとする課題】
上述のリマックス方式で再送信すると、元の放送から番組編成が変更されているために、元の放送と同じチャンネル番号等で選局することができない。このため、例えば、今までＣＳデジタル放送を受信していたユーザが、リマックス方式による再送信で受信しようとすると、チャンネル番号が変更されていて混乱するという問題があった。
【０００５】
また、コンテンツ中で参照している他番組についても、チャンネル番号が再送信により変更されてしまい、その番組を参照できなくなるという問題もあった。
【０００６】
本発明は、上述の実情を考慮してなされたものであって、蓄積型デジタル放送において、元の放送と同じ方法で選局・予約できるようにする放送再送信装置、放送受信装置および放送再送信システムを提供することを目的とする。
【０００７】
【課題を解決するための手段】
上述の課題を解決するために、本発明の放送再送信装置では、再送信時に再送信前の元の番組編成情報で使用されている番組識別情報を付加して再送信する。
放送受信装置では、この放送再送信装置で送信した再送信前の元の番組識別情報を用いて元の番組編成に基づく番組表を生成し、この番組表に基づいて番組の選局や予約を行う。
放送再送信システムでは、この放送再送信装置と複数台のこの放送受信装置から構成される。
【０００８】
以上の構成により、再送信前の元のチャンネル番号で受信することが可能となり、従来の方法に慣れたユーザが混乱しなくなる。
また、再送信前の元の放送ごとの番組表を利用することが可能となるので、再送信前の元の放送ごとのチャンネル番号で選局したり、視聴や録画を予約することが可能となる。
また、デジタル放送のコンテンツの中身を変更せずに、デジタル放送が参照している他の番組を参照できるようになる。
【０００９】
【発明の実施の形態】
以下、図面を参照して本発明の好適な実施形態を説明する。
図１は、本発明の実施形態に係る放送再送信システムの構成例を示すブロック図である。図１において、放送再送信システムは、放送再送信装置１０８と放送を視聴するための複数の放送受信装置１０７で構成される。
【００１０】
放送再送信装置１０８は、再送信する元放送を受信するための放送受信装置１０１〜１０２、ケーブルテレビ局で作成する自主放送を生成する自主放送装置１０３、元放送の番組識別情報を取得し、この情報の中から再送信される番組に関する番組識別情報だけを抽出する元番組識別情報抽出装置１０４、再送信用に新たに編成された番組の番組編成情報を生成し、この番組の番組識別情報と元番組識別情報抽出装置１０４から抽出された元番組識別情報の対応情報を番組編成情報に挿入して送信する番組編成情報生成装置１０５、番組編成情報生成装置１０５からの番組編成情報と装置１０１〜１０３で受信および生成された放送を再多重して送信する再多重化装置１０６から構成される。
本実施形態の説明では、放送受信装置を２台としているが、２台以上の放送受信装置を有する場合にも同様に適用できる。
【００１１】
（Ａ）放送再送信装置１０８
次に、放送再送信装置１０８について説明する。
図２は、図１の放送再送信装置１０８による番組編成の変更のうち、チャンネルに関する変更を示した図である。以下、番組編成については、チャンネルに限定して説明するが、個々の番組も含めても同様に実現できる。
【００１２】
図２において、２０１〜２０２は元放送の番組編成を示し、２０３はケーブルテレビ局の自主放送の番組編成を示し、２０４は再送信の番組編成を示す。例えば、放送ＡのチャンネルＡ１は、再送信時は再送信放送チャンネルＤ１として放送されるものとする。
【００１３】
図３は、図１における番組編成情報生成装置１０５の各番組の番組編成情報を生成する処理を示すフローチャートである。
先ず、番組の編成情報を生成する（ステップＳ３０１）。
次に、その番組が再送信による番組か否かを判断する（ステップＳ３０２）。
ケーブルテレビ放送局の自主放送などの再送信でない番組の場合（ステップＳ３０２のＮＯ）、番組編成情報を再多重装置へ送信し（ステップＳ３０３）、処理を終了する。
【００１４】
一方、再送信番組の場合（ステップＳ３０２のＹＥＳ）、その番組の元番組識別情報を取り込んで現番組識別情報と元番組識別情報の対応情報を生成し（ステップＳ３０４）、番組編成情報を再多重装置へ送信し（ステップＳ３０３）、処理を終了する。
【００１５】
上記の処理（図３）により、放送とチャンネル番号を識別情報として表現された図２から、再送信におけるチャンネルに関する番組識別情報の対応情報は図４のように作成される。
【００１６】
尚、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）のデジタル放送においては、ｎｅｔｗｏｒｋ＿ｉｄ，ｓｅｒｖｉｃｅ＿ｉｄなどの識別情報を用いることにより、同様に対応情報を作成することができる。即ち、ＡＲＩＢのデジタル放送の規定において、放送はネットワークに相当し、ＡＲＩＢ  ＴＲ−Ｂ１５の「９．１ネットワーク構成」には、「ＡＲＩＢ  ＳＴＤ−Ｂ１０により、ネットワークとは一つの分配システムに対して規定されるＭＰＥＧ２−ＴＳ多重の集まりに対して規定されるものであり、ＢＳデジタル放送では、例えばＢＳ−４後発機によるデジタル放送に対してネットワークが規定される。ネットワークは、ＢＳデジタル放送に対して付与されるｎｅｔｗｏｒｋ＿ｉｄにより識別される。」と記載されている。
【００１７】
チャンネルは、サービスに相当し、ＡＲＩＢ  ＴＲ−Ｂ１５の「８．１サービスおよびサービスタイプの定義」には、「サービスは、いわゆる編成チャンネルのことであり、「委託放送事業者が編成する、スケジュールの一環として放送可能な番組の連続」（ＡＲＩＢ  Ｂ１０  ３．１項から引用）と定義される。サービスは、ＮＩＴのサービスリスト記述子中にｓｅｒｖｉｃｅ＿ｉｄが記述された段階で定義されたものとする。」と記載されており、サービスはｓｅｒｖｉｃｅ＿ｉｄで識別される。
【００１８】
図５は、サービスに関する対応情報をＡＲＩＢのデジタル放送で送る時に用いる記述子の例である。
図５において、ｄｅｓｃｒｉｐｔｏｒ＿ｔａｇは、この記述子が対応情報記述子であることを示すフィールドである。ｄｅｓｃｒｉｐｔｏｒ＿ｌｅｎｇｔｈは、この記述子の記述子長を示すフィールドである。ｓｅｒｖｉｃｅ＿ｉｄは、現在送信されているサービス識別子を示すフィールドである。ｏｒｉｇｉｎａｌ＿ｓｅｒｖｉｃｅ＿ｉｄは、ｓｅｒｖｉｃｅ＿ｉｄに対応する元のサービス識別子を示すフィールドである。
【００１９】
ＡＲＩＢのデジタル放送で元の番組識別情報としてサービスを使用する場合、放送再送信装置１０８の番組編成情報において、当該記述子をＡＲＩＢ  ＴＲ−Ｂ１５「３１．１．３．ＮＩＴ第２ループ（ＴＳループ）に挿入する記述子」に記載の記述子と同様にＮＩＴ第２ループを挿入することによって、本発明を実現できる。
【００２０】
（Ｂ）放送受信装置１０７
次に、放送受信装置１０７について説明する。
図６は、放送受信装置１０７の機能構成を示すブロック図であり、同図において、放送受信装置１０７は、放送再送信装置１０８からの信号を受けて、多重されている番組や番組編成情報などを分ける受信手段６０１、要求された番組識別情報の番組を選局する選局手段６０２、使用者からの入力を受け、また使用者に対して情報を提示する入出力手段６０３、指定された番組識別情報を持つ番組が番組リスト６０６にあるかどうかを判定する番組リスト表判定手段６０４、受信した放送中にある番組リストを生成する番組リスト生成手段６０５、番組リスト生成手段６０５により生成された番組リスト６０６、元番組識別情報と現番組識別情報の対応情報のリストを生成する対応情報リスト生成手段６０７、対応情報リスト生成手段６０７で生成された元番組識別情報と現番組識別情報の対応情報リスト６０８、予約リスト６１０に従って選局手段６０２で選局させて視聴または録画させるための予約リスト６１０を管理する予約手段６０９、予約手段６０９によって管理される予約リスト６１０から構成される。
【００２１】
図７は、選局手段６０２の番組選局処理を示すフローチャートである。
先ず、選局を要求された番組識別情報が元番組の識別情報か再送信後の現在の番組識別情報かどうかを判断する（ステップＳ７０１）。この判断は、番組リスト６０６を検索することによって行うことができる。すなわち、番組リスト６０６に存在すれば、入力された番組識別情報は再送信後の現番組識別情報と判定し、存在しなければ元番組識別情報と判定する。尚、元の番組識別情報と現在の番組識別情報に重複はないものとする。
【００２２】
元番組の識別情報による選局である場合（ステップＳ７０１のＹＥＳ）、元番組識別情報と現番組識別情報の対応情報リスト６０８を検索し、対応情報リスト６０８中に見つからなければ（ステップＳ７０２のＮＯ）、エラー処理を行い（ステップＳ７０５）、終了する。
【００２３】
一方、対応情報リスト６０８中に見つかれば（ステップＳ７０２のＹＥＳ）、現番組識別情報を取得して（ステップＳ７０３）、得られた現番組識別情報で番組を選局し（ステップＳ７０４）、終了する。
【００２４】
また、元番組の識別情報による選局でない場合（ステップＳ７０１のＮＯ）、入力された番組識別情報は再送信後の現番組識別情報であるとして、この入力された現番組識別情報で番組を選局し（ステップＳ７０４）、終了する。
【００２５】
図８は、再送信による番組の番組表から元の放送の番組表を生成する手順を説明する図であり、同図において、８０１は番組識別情報の対応情報リスト、８０２は再送信による番組の番組表、８０３は元の放送である放送Ａの番組表、８０４は元の放送である放送Ｂの番組表である。
【００２６】
先ず、番組表８０２のチャンネルＤ１について、対応情報リスト８０１を検索し、元番組識別情報（放送Ａ、チャンネルＡ１）を取得し、放送Ａの番組表８０３のＡ１チャンネルの欄へ番組表８０２のチャンネルＤ１の欄の内容をコピーする。尚、実際にコピーせずに、リンクを設定するなどの方法で番組表に必要なメモリの消費量を小さくすることもできる。
同様の処理を番組表８０２のすべてのチャンネルに対して行うことにより、元放送の番組表８０３、８０４を生成する。
【００２７】
図９は、予約手段６０９の予約リスト作成処理を示すフローチャートである。ここでは、この処理は予約情報として、（予約開始時間、予約終了時間、番組識別情報）が入出力手段６０３から得られた後の処理について説明する。
【００２８】
先ず、予約を要求された番組識別情報が元番組の識別情報か再送信後の現在の番組識別情報かどうか判断する（ステップＳ９０１）。この判断は、番組リスト６０６を検索することによって行うことができる。即ち、番組リスト６０６に存在すれば、入力された番組識別情報は再送信後の現番組識別情報と判定し、存在しなければ元番組識別情報と判定する。
【００２９】
予約を要求された番組識別情報が元番組の識別情報による予約の場合（ステップＳ９０１のＹＥＳ）、元番組識別情報と現番組識別情報の対応情報リスト６０８を検索し、対応情報リスト６０８中に見つからなければ（ステップＳ９０２のＮＯ）、エラー処理を行い（ステップＳ９０５）、予約リスト作成処理を終了する。
【００３０】
一方、対応情報リスト６０８中に見つかれば（ステップＳ９０２のＹＥＳ）、現番組識別情報を取得し、予約情報の番組識別情報を得られた現番組識別情報と置き換えて（ステップＳ９０３）、得られた予約情報を予約リスト６１０に追加して（ステップＳ９０４）、処理を終了する。
【００３１】
また、予約を要求された番組識別情報が元番組の識別情報による予約でない場合（ステップＳ９０１のＮＯ）、入力された予約情報を予約リスト６１０に追加して（ステップＳ９０４）、処理を終了する。
【００３２】
【発明の効果】
以上説明したように本発明によれば、リマックスされた再送信による放送において、直接オリジナルの放送を受信している場合と同じチャンネル番号で選局・予約することができるようになり、従来の方法に慣れたユーザが混乱しなくなる。
また、デジタル放送のコンテンツの中身を変更せずに、デジタル放送が参照している他の番組を参照できるようになる。
【図面の簡単な説明】
【図１】本発明の実施形態に係る放送再送信システムの構成を示すブロック図である。
【図２】本発明の実施形態に係る放送再送送信装置による番組編成の変更を説明するための図である。
【図３】本発明の実施形態の各番組の番組編成情報を生成する処理を示すフローチャートである。
【図４】本発明の実施形態における番組識別情報の対応情報を示す例である。
【図５】本発明の実施形態に係る放送再送送信装置において、番組編成情報に挿入する元番組と現番組の対応情報のデータ構造例である。
【図６】本発明の実施形態に係る放送受信装置の機能構成を示すブロック図である。
【図７】本発明の実施形態における選局処理を示すフローチャートである。
【図８】本発明の実施形態における元の放送の番組表の作成方法を説明するための図である。
【図９】本発明の実施形態における予約リスト作成処理を示すフローチャートである。
【符号の説明】
１０１，１０２…放送受信装置、１０３…自主放送装置、１０４…元番組識別情報抽出装置、１０５…番組編成情報生成装置、１０６…再多重化装置、１０７…放送受信装置、１０８…放送再送信装置、６０１…受信手段、６０２…選局手段、６０３…入出力手段、６０４…番組リスト判定手段、６０５…番組リスト生成手段、６０６…番組リスト、６０７…対応情報リスト生成手段、６０８…対応情報リスト、６０９…予約手段、６１０…予約リスト、８０１…対応情報リスト、８０２，８０３…番組表。
【図１】
2004260549.tif 000003
【図２】
2004260549.tif 000004
【図３】
2004260549.tif 000005
【図４】
2004260549.tif 000006
【図５】
2004260549.tif 000007
【図６】
2004260549.tif 000008
【図７】
2004260549.tif 000009
【図８】
2004260549.tif 000010
【図９】
2004260549.tif 000011